(57)【特許請求の範囲】
【請求項１】
通関手続を要するコンテナ貨物が保管されるコンテナターミナル内の管理区域と、
前記コンテナ貨物を荷主との間で受渡をなすための前記管理区域の外部に設けた一時保管領域と、
管理区域内のコンテナ貨物についての通関手続を完了しているか否かの問合せ情報と、前記通関手続が完了した前記コンテナ貨物の受取り日時の予約情報とを出力可能な端末手段と、
前記端末手段に通信回線を介して接続され、前記端末手段からの前記問合せ情報に回答するとともに、予約状況を知らせた上で前記端末手段からの前記予約情報により予約を受付ける照会・予約受付け装置を有するとともに、前記照会・予約受付け装置に接続され、複数のコンテナ貨物についての通関手続の完了又は未完の情報をデータ管理部から入手し、一時保管領域内のコンテナ貨物の保管状況が入力されるコンテナ管理装置と、前記コンテナ管理装置から得られる一時保管領域内のコンテナ貨物の保管状況と前記照会・予約受付け装置からの前記予約情報とに基づいて、前記予約情報により搬出を予約された前記コンテナ貨物の前記一時保管領域内の保管位置を求めるシャトル管理装置を備えた貨物管理手段と、
この貨物管理手段のシャトル管理装置が求めた前記保管位置にコンテナ貨物を前記管理区域から移動してコンテナ貨物の接続または切り離しをなす移送手段と、
を有することを特徴とする貨物搬出入予約システム。
【請求項２】
前記データ管理部は、前記予約情報に基づいて前記移送手段を前記管理区域と前記一時保管領域との間の運行ダイヤを作成することを特徴とする請求項１に記載の貨物搬出入予約システム。
【請求項３】
前記コンテナ貨物は、牽引可能な搬送台車に搭載もしくは直置きして前記保管位置に保管することを特徴とする請求項１または２に記載の貨物搬出入予約システム。
【請求項４】
前記貨物管理手段は、前記端末手段が出力するコンテナ貨物の前記管理区域への搬入予約情報を受付け可能であり、前記一時保管領域内のコンテナ貨物の保管情報と前記搬入予約情報とに基づいて、搬入貨物の前記一時保管領域内における受入れ保管位置を求める、
ことを特徴とする請求項１ないし３のいずれか１に記載の貨物搬出入予約システム。
【発明の詳細な説明】
【０００１】
【発明の属する技術分野】
本発明は、貨物を特定の区域からの搬出、または特定の区域へ搬入するための予約システムに係り、特に保税地域からの搬出のように、貨物に対する一定の処理をしたのちでなければ搬出することができない貨物の搬出に好適な貨物搬出入予約システムに関する。
【０００２】
【従来の技術】
貨物を輸出または輸入する場合、税関を通す必要がある。そして、輸出入する物品(貨物)の多くは、取扱いが容易なこと、運送中における破損などを容易に防げるため、コンテナに収納した状態で税関を通すようにしている。
【０００３】
従来、物品を輸出する場合、一般に物品をコンテナに積める段階において、通関手続きを行なう業者によってコンピュータを利用して通関手続きが行なわれる。そして、通関許可を得たコンテナを船便で輸出する場合、港の保税地域であるコンテナターミナルに搬入するようにしている。また、一部には、物品を積み込んだコンテナをコンテナターミナルに搬入し、コンテナターミナル内において通関手続きを行なう場合もある。
【０００４】
一方、貨物を輸入する場合、船からコンテナターミナル内に陸揚げされたコンテナについて通関手続きが行なわれ、通関許可が降りたコンテナをコンテナターミナルから搬出する。そして、貨物の荷主は、輸入した貨物のコンテナが通関手続きを終了しているか否かを電話などによってコンテナターミナルに問い合わせている。その後、荷主は、通関手続きが終了していると、運送業者にコンテナの運送を依頼し、依頼を受けた運送業者がコンテナをコンテナターミナルから輸入コンテナを搬出し、荷主に指定された倉庫などに運送するようにしている。
【０００５】
【発明が解決しようとする課題】
従来、貨物を輸出する場合、通常は、保税地域であるコンテナターミナルの外部において通関手続きを行い、通関許可を受けた段階において輸出コンテナをコンテナターミナルに搬入している。このため、輸出貨物(コンテナ)のコンテナターミナルへの搬入は、比較的円滑に行なわれる。
【０００６】
ところが、輸入貨物(コンテナ)は、コンテナターミナル内において通関手続きを行なったのちでなければ、コンテナターミナルから搬出することができない。従って、コンテナターミナルにおいては、輸入貨物の通関手続きの業務で多忙であって、問い合わせの輸入貨物が通関手続きを終了しているか否かを確認するのに時間がかかるばかりでなく、荷主側においては輸入貨物のコンテナターミナルからの搬出に関する正確な情報を得にくい。このため、荷主の一部には、輸入貨物を積んだ船が入港すると、通常、１日か１日半程度で通関手続きが終了するため、通関手続きが終了したか否かの確認をせずに、通関手続きが終了した頃を見計らって、運送業者をコンテナの搬出に向かわせることも多い。このような場合、通関手続きが完了していないことも少なくなく、荷主側において無駄足となるばかりでなく、コンテナターミナル側においても通関の確認手続きなど種々の負担を強いられ、輸入貨物のコンテナターミナルからの搬出を円滑に行なえない原因となる。
【０００７】
また、通関手続きの完了を確認して輸入したコンテナの引き取りに向かった場合においても、目的のコンテナの位置を確認したり、荷役機械を使って目的のコンテナをトレーラに積み込む作業を必要とし、コンテナの引き渡し、搬出に多くの時間を要する。特に、コンテナターミナルにおいては、スペース的な関係から通関手続きを終了した順にコンテナを複数個積み重ねた状態で蔵置しており、目的のコンテナが下方にあるとトレーラに積み込むのに多くの時間がかかる。このため、コンテナターミナルからコンテナを搬出するトレーラは、しばしばコンテナターミナルのゲートにおいて長時間待たされることになり、無駄な時間が多く、非効率的となっている。
本発明は、前記従来技術の欠点を解消するためになされたもので、管理地域における貨物の搬出入を効率的に行なえるようにすることを目的としている。
【０００８】
【課題を解決するための手段】
上記の目的を達成するために、本発明に係る貨物搬出入予約システムは、通関手続を要するコンテナ貨物が保管されるコンテナターミナル内の管理区域と、前記コンテナ貨物を荷主との間で受渡をなすための前記管理区域の外部に設けた一時保管領域と、管理区域内のコンテナ貨物についての通関手続を完了しているか否かの問合せ情報と、前記通関手続が完了した前記コンテナ貨物の受取り日時の予約情報とを出力可能な端末手段と、前記端末手段に通信回線を介して接続され、前記端末手段からの前記問合せ情報に回答するとともに、予約状況を知らせた上で前記端末手段からの前記予約情報により予約を受付ける照会・予約受付け装置を有するとともに、前記照会・予約受付け装置に接続され、複数のコンテナ貨物についての通関手続の完了又は未完の情報をデータ管理部から入手し、一時保管領域内のコンテナ貨物の保管状況が入力されるコンテナ管理装置と、前記コンテナ管理装置から得られる一時保管領域内のコンテナ貨物の保管状況と前記照会・予約受付け装置からの前記予約情報とに基づいて、前記予約情報により搬出を予約された前記コンテナ貨物の前記一時保管領域内の保管位置を求めるシャトル管理装置を備えた貨物管理手段と、この貨物管理手段のシャトル管理装置が求めた前記保管位置にコンテナ貨物を前記管理区域から移動してコンテナ貨物の接続または切り離しをなす移送手段と、を有するとしている。
【０００９】
一時保管領域は、前記管理区域の外部に設けることができる。また、貨物は、牽引可能な搬送台車に搭載して保管位置に保管することが望ましいが、直置きしてもよい。そして、貨物管理手段を前記端末手段が出力する貨物の前記管理区域への搬入予約情報を受付け可能に構成し、一時保管領域内の貨物の保管情報と入力された搬入予約情報とに基づいて、搬入貨物の一時保管領域内における受入れ保管位置を求められるようにすることができる。
【００１０】
【作用】
上記のごとくなっている本発明は、荷主や貨物の運搬業者は、端末手段によって保税地域などの管理区域内にある貨物に対して、通関手続きなどの所定の処理が終了し、貨物が搬出可能の状態にあるかを容易に知ることができる。そして、端末手段から貨物の受け取りの予約情報を入力すると、貨物管理手段が予約された日時に迅速に引き渡しが可能なように、一時保管領域内の保管位置を求め、移送手段によって貨物をその保管位置に移動するようになっているため、貨物を受け取りにきた運送業者は、短時間で所定の貨物を受け取って管理区域から搬出することができる。また、貨物の搬出を予約することにより、貨物の受渡しが特定の時間に集中するのを防止でき、混雑による混乱の発生や、貨物の搬出に長い待ち時間を必要とするなどの事態を防ぐことができる。
【００１１】
一時保管領域を管理区域の外部に設けることにより、より円滑な貨物の受渡しが可能になるとともに、管理区域内の作業を円滑、迅速に進めることができる。そして、貨物をトレーラのような牽引可能な搬送台車に搭載した状態で保管することにより、運送業者は貨物の積み替えを行なうことなく貨物を搬出することができ、迅速な貨物の受渡しが可能となる。また、管理区域内の貨物の搬入を予約できるようにすることにより、搬入する貨物が一時に集中するのを防ぐことができ、円滑な搬入手続き、搬入作業を行なうことができる。
【００１２】
【発明の実施の形態】
本発明に係る貨物搬出入予約システムの好ましい実施の形態を、添付図面に従って詳細に説明する。
図１は、本発明の実施の形態に係る貨物搬出入予約システムの概略を示す説明図である。図１において、貨物搬出入予約システム１０を構成している貨物管理手段１２は、実施形態の場合、港のコンテナターミナル１４内に設置してある。コンテナターミナル１４は、管理区域である保税地域となっている。そして、貨物管理手段１２は、コンテナターミナル管理部１６と予約受付け部１８とからなっている。
【００１３】
予約受付け部１８は、後述するコンテナの荷主や運送業者などによる輸入コンテナに対する問合せや、輸入コンテナの搬出予約に応ずるためのもので、プロバイダ２０ｘを介して通信回線であるインターネット２２に接続可能となっている。そして、予約受付け部１８は、照会・予約受付け装置２４と処理端末２６とを有している。また、処理端末２６には、プリンタ２８が接続してあって、予約の状況などのハードコピーが得られるようにしてある。さらに、照会・予約受付け装置２４と処理端末２６とは、ハブ３０を介して相互に接続してある。さらに、ハブ３０は、ファイアウォール３２を介してルータ３４に接続してある。このルータ３４は、通信回線を介してプロバイダ２０ｘに接続してある。
【００１４】
コンテナターミナル管理部１６は、詳細を後述するシャトル管理装置３６を有する。このシャトル管理装置３６は、データベースサーバとなっていて、照会用データベース３８、通関申請作業用データベース４０、シャトルの運行ダイヤを作成、管理する運行ダイヤデータベース４２、シャトルの運行履歴などを記憶する運行履歴データベース４４などのデータベースを有するデータ管理部４６を備えている。そして、シャトル管理装置３６は、シリアルケーブル４７を介して予約受付け部１８の照会・予約受付け装置２４に接続してあって、他からの侵入を防止するようになっている。シャトル管理装置３６は、シリアルケーブル４７を介して照会・予約受付け装置２４から予約情報などを受け取るとともに、予約状態を示す一覧表などを照会・予約装置２４に送出する。また、シャトル管理装置３６は、ＬＡＮ４８を介してセンタモニタ５０とコンテナ管理装置５２に接続してある。
【００１５】
センタモニタ５０は、どのような予約が入っているか、予約された貨物(コンテナ)がどこにあるか、シャトルの運行状態などを確認するためのもので、プリンタ５４が接続してあって、予約状態などのハードコピーが得られるようにしてある。一方、コンテナ管理装置５２は、コンテナターミナル１４に船から陸揚げされた輸入コンテナやコンテナターミナル１４に搬入された輸出コンテナ、各コンテナのコンテナターミナル１４内における位置、コンテナターミナル１４から搬出されたコンテナなどの記録が入力されるとともに、後述するストックヤードにおける管理状況などが入力されるようになっている。また、ＬＡＮ４８には、コンテナターミナル１４を共同運営する複数の運営会社(オペレータ会社)のクライアント装置５４（５４ａ、５４ｂ、５４ｃ、………）が接続してある。これらのクライアント装置５４は、ＬＡＮ４８を介してコンテナ管理装置５２にアクセスし、コンテナの管理状態を確認することができるとともに、コンテナの予約状況を確認できるようになっている。
【００１６】
管理区域であるコンテナターミナル１４の外部には、一時保管領域であるストックヤード６０が設けてある。このストックヤード６０は、コンテナターミナル１４から搬出した、またはコンテナターミナル１４に搬入するコンテナを一時的に保管するためのもので、この実施形態の場合、コンテナをトレーラに搭載した状態で保管するようにしてある。そして、ストックヤード６０には、シャトル用端末装置６２と外来用端末装置６４とが設置してある。シャトル用端末装置６２は、ストックヤード６０とコンテナターミナル１４との間を、トレーラを牽引して往復移動するトラクタ(シャトル)に対し、どのコンテナを搭載したトレーラを牽引すべきかなどの指示を出すなっていて、プリンタ６６が接続してあって、指示の内容を印刷して運転手などに確実に伝達するようになっている。また、外来用端末装置６４は、コンテナを受け取りにきた人の確認や搬出されたコンテナの記録、搬入されたコンテナの確認、記録などを行なうようになっている。そして、これらの端末装置６２、６４は、ストックヤード６０側のルータ６８と、コンテナターミナル１４側のルータ５６とを介してＬＡＮ４８に接続してある。
【００１７】
この貨物搬出入予約システム１０を利用する荷主または運送業者７０(７０ａ、７０ｂ、………)は、パーソナルコンピュータなどからなる図示しない端末手段を備えていて、これらの端末手段がプロバイダ２０(２０ａ、２０ｂ、………)を介してインターネット２２に接続できるようになっている。また、この貨物搬出入予約システム１０は、インターネット２２に接続可能な携帯電話７２によっても貨物である予約コンテナの搬出が可能か否かの照会をすることができるようにしてある。従って、トレーラの運転手なども、輸入コンテナが搬出可能かを容易に確認することができる。
【００１８】
コンテナ管理装置５２は、図２に示したようにデータベース５２ａを有していて、このデータベース５２ａにコンテナ管理装置５２を介してクライアント装置５４がアクセスできるようになっている。クライアント装置５４は、データベース５２ａから得たコンテナの配置状態を示すヤードマップ、コンテナを移動させるシフトプランの画面などを表示することができるとともに、シフトプラン画面を介してシフトプランへの自動予約が可能となっている。また、データベース５２ａには、コンテナターミナル１４のゲートに設置してあるゲート端末装置７３に対してシャトルレーンの優先受付け、シャトルの簡易受付けなどの指示を出力できるようになっている。これらのデータは、シャトル管理装置３６を介してデータベース管理部４６にも記録される。
【００１９】
さらに、貨物管理手段１２のコンテナターミナル管理部１６には、無線端末装置７４が設けてある。この無線端末装置７４は、データベース５２ａまたはデータ管理部４６に格納されているデータを読み出し、コンテナがシャトル便に載せるものであるか否かを荷役機器７６に無線によって伝達する。すなわち、移送手段の一部を構成している荷役機器７６には、車載端末装置７８が搭載してあって、この車載端末装置７８が無線端末装置７４からの出力信号を無線で受け、取り扱うべきコンテナ番号やコンテナの移送位置などが表示されるとともに、そのコンテナがシャトル便によって移送されるものであるか否かの表示(マーキング)がなされ、荷役機器７６の運転手は、予約作業を優先的に作業する。
【００２０】
このようになっている実施形態の貨物搬出入予約システム１０においては、貨物である輸入されたコンテナが搬出可能であるか否かを誰でも照会できるようになっている。ただし、コンテナの搬出予約については、貨物の安全性を考慮して登録した会員のみが行なえるようにしてある。端末手段である運送業者７０に設置したコンピュータ(図示せず)による輸入コンテナの搬出が可能であるか否かの照会、すなわち輸入コンテナが通関手続きを終了しているか否かの照会は、次のようにして行なう。
【００２１】
まず、図１に示した運送業者(または荷主)７０は、コンピュータによってインターネット２２を介してコンテナターミナル１４に設置した貨物管理部手段１２の予約受付け部１８に設けてある照会・予約受付け装置２４にアクセスし、照会・予約受付け装置２４から図３に示した搬出許可照会画面８０を読み出す。この搬出許可照会画面８０には、何月何日の何時現在の情報であるかが表示されるとともに、次に情報を更新する日時が表示される。そして、搬出許可照会画面８０は、コンテナ番号入力欄８２と船荷証券番号(Ｂ／Ｌ番号)入力欄８２とが設けてあって、コンテナ番号と船荷証券番号とのいずれでもコンテナが搬出可能か否か照会できるようになっている。コンテナ番号入力欄８２にコンテナ番号を入力し、照会ボタン８６をクリックすると、照会・予約受付け装置２４は、自己のメモリ２４ａに格納してあるデータを検索し、図４に示したような、入力されたコンテナ番号についての搬出許可照会結果画面９０を運送業者７０のコンピュータの表示部に表示する。
【００２２】
この搬出許可照会結果画面９０は、コンテナ番号欄９１に照会に係るコンテナ番号が表示される。そして、搬出許可照会結果画面９０の搬出欄９２に○印が記載されている場合、通関手続きが完了して搬出可能であることを示しており、搬出欄９２に×印が記載されているときには、通関手続きが終了していないことを示している。また、搬出許可照会結果画面９０には、コンテナの長さをフィートで示したサイズ欄９３、コンテナが陸揚げされた港を表示する場所欄９４、コンテナの搬出が可能な期間を示すフリータイム欄９５、搬出が可能となった日を示す搬出可能日欄９６などが設けてある。
【００２３】
一方、図３に示した搬出許可照会画面８０において、船荷証券番号入力欄８２に船荷証券番号を入力して照会ボタン８６をクリックすると、図５に示した搬出許可照会結果画面１００が運送業者７０のコンピュータの表示部に表示される。この搬出許可照会結果画面１００は、図４に示したコンテナ番号によって照会したときと同様の照会結果画面が表示され、コンテナ番号欄１０１に船荷証券番号に係るコンテナ番号の一覧が表示される。そして、搬出欄１０２に搬出不可である×印が表示されている場合、コンテナの処理の状態が示される。すなわち、図５に示したコンテナ番号「ＭＥＳＵ４２７０８７６」のコンテナは、通関手続きが終わっていないことを通関手続き欄１０７に×印によって示され、さらに海運会社がコンテナを陸揚げして荷主に渡してもよいという許可書(荷渡し指図書)が発行されていないことを示す×印がＤＯ欄１０８に表示される。
【００２４】
図６は、インターネットに接続可能な携帯電話７２による搬出許可照会の手順を示したものである。まず、同図（１)に示したように、携帯電話７２の表示部１１０に照会画面１１２を表示させる。この照会画面１１２は、コンテナ番号による照会か、船荷証券番号による照会かを選択できるようになっている。そして、「１」のコンテナ番号による照会を選択すると、図６(２)に示すようにコンテナ番号入力画面１１４が表示部１１０に表示される。そこで、コンテナ番号入力画面１１４に従ってコンテナ番号を入力して決定ボタン１１５を操作すると、同図(３)に示したように、照会結果画面１１６が表示され、搬出欄１１７に搬出の可否が○、×で示されるとともに、その下方にコンテナの存在する港の名前と、コンテナの長さが表示される。
【００２５】
一方、図６(１)の照会画面１１２において「２」の船荷証券番号による照会を選択すると、同図(４)の船荷証券番号入力画面１２０が表示部１１０に表示される。この船荷証券番号入力画面１２０において船荷証券の番号を入力して決定ボタン１２１を操作すると、同図(５)に示したように、入力した船荷証券番号に係る搬出可能なコンテナ番号の一覧が表示されたコンテナ番号一覧画面１２２に変わる。そこで、所望のコンテナ番号を選択して決定ボタン１２３を操作すると、同図(３)に示した照会結果画面１１６が表示され、コンテナの存在する港の名前とコンテナの長さが表示される。
【００２６】
なお、この照会結果画面１１６において、戻るボタン１１８を操作すると、１つ前の画面が表示される。すなわち、図６(２)のコンテナ番号入力画面１１４から照会結果画面１１６を表示させた場合、戻るボタン１１８が操作されると、コンテナ番号入力画面１１４が表示される。また、同図(５)のコンテナ番号一覧画面１２２からコンテナ番号を選択して照会結果画面１１６を表示させた場合、戻るボタン１１８が操作されるとコンテナ番号一覧画面１２２が表示され、次のコンテナ番号を選択することにより、コンテナの存在する港の名前とコンテナの長さとが表示されて確認できる。
【００２７】
このように、実施の形態においては、端末手段または携帯電話７２によって、輸入したコンテナが通関手続きを終了して搬出可能か否かを知ることができるため、コンテナターミナル１４のゲートにおいて長時間待つ必要がなく、コンテナの受渡しを円滑、迅速に行なうことができる。そして、搬出可能となったコンテナの荷主または運送業者７０は、コンテナの搬出(引き取り)の日時を事前に予約できるようになっている。図７は、コンテナの搬出予約した場合の輸入コンテナの受渡し手順を示すフローチャートである。
【００２８】
まず、運送業者(または荷主)７０は、端末手段である自己のコンピュータを操作して照会・予約受付け装置２４にアクセスし、図７のステップ１３０に示したように、予約画面を読み出す。この予約画面は、実施形態の場合、図８に示したような予約一覧画面１５０となっていて、運送業者７０が現在の予約状態を容易に知ることができるようになっている。そして、予約を行なう運送業者７０は、予約一覧画面１５０において開いている日、時間帯の中で、コンテナの搬出を希望する時間帯の予約者欄に自分の名称を入力するとともに、対象となるコンテナがわかるように、コンテナ番号・ＢＬ番号欄１５４にコンテナ番号または船荷証券番号を入力する。
【００２９】
なお、実施形態においては、コンテナターミナル１４への輸出用コンテナの搬入も予約できるようになっている。従って、運送業者７０は、コンテナを引き取る(搬出する)場合、予約一覧画面１５０の入出欄１５６に「出」を入力し、コンテナをコンテナターミナル１４に搬入する場合、入出欄１５６に「入」を入力する。また、この際、コンテナを移送するトレーラの手配のため、予約一覧画面１５０のサイズ欄１５８にコンテナの長さをフィートの単位で入力する。そして、実施形態の場合、コンテナの搬出入の予約は、６営業日先まで可能にしてある。なお、コンテナの搬出を予約する場合、船荷証券の番号を入力すると、その船荷証券番号に係るコンテナ番号が表示されるようになっている。
【００３０】
このようにしてコンテナの搬出の予約情報が入力されると、照会・予約受付け装置２４は、シリアルケーブル４７を介して予約情報をシャトル管理装置３６に転送する。シャトル管理装置３６は、コンテナ管理装置５２のデータベース５２ａから在庫コンテナ情報を読み出して搬出予約されたコンテナの有無と位置とを確認するとともに、ストックヤード６０のコンテナの保管状況から予約に係るコンテナの一時保管する位置を求める(ステップ１３４)。さらに、シャトル管理装置３６は、コンテナターミナル１４とストックヤード６０との間を往復してコンテナを移送するシャトルの運行ダイヤを作成し、データ管理部４６の運行ダイヤデータベース４２に書き込む(ステップ１３６)。
【００３１】
コンテナ管理装置５２は、一定時間ごと(例えば、１０分ごと)にシャトル管理装置３６を介してデータ管理部４６にアクセスし、コンテナの在庫、通関等の情報の収集を行なっており、新たな搬出予約が入るとそのコンテナを記憶するとともに、コンテナのコンテナターミナル１４内における位置を求め、そのコンテナを搬出しやすい位置に移動させるマーシャリング指示を出力する。すなわち、予約対象となる輸入コンテナが山積みのコンテナからすぐ取り出せるように、山の一番上に移動させるように指示する。このマーシャリング指示は、図９に示したように、コンテナターミナル１４内のコントロールセンタ１６０に設置してある図２に示した無線端末装置７４から荷役機器７６に搭載した車載端末装置７８に与えられる。また、車載端末装置７８には、そのコンテナがシャトル１６２によってコンテナターミナル１４からストックヤード６０に移送されるものであることが表示される。
【００３２】
搬出予約されたコンテナ１６４は、コンテナターミナル１４内において荷役機器７６により搬送台車であるトレーラ(シャーシ)１６６に搭載される。コンテナ１６４を搭載したトレーラ１６６は、シャトル１６２に牽引され、ストックヤード６０の搬出用保管区画の所定位置に移送される(ステップ１３８)。この際、ゲート端末装置７３には、シャトル１６２によって搬出するコンテナ１６４の情報が送られており、シャトル１６２はコンテナターミナル１４のゲート１６８において優先的に扱われ、専用のレーンが割り当てられ、一般のトレーラより先にゲート１６８を通過できるようにしている。また、コンテナターミナル１４のゲート１６８やストックヤード６０でのシャトル１６２の受付けは、図８に示した予約一覧画面１５０の予約番号欄に記載されている予約番号に基づいて行なわれるようにしてあって、簡単で迅速な受付け処理を行なえるようになっている。そして、対象のコンテナ１６４は、トレーラ１６６に搭載された状態、すなわちオンシャーシの状態でストックヤード６０の所定位置に一時保管される。コンテナ１６４の搬出を予約した運送業者７０は、図１０に示したように、予約した日時にトラクタ１７０によってコンテナを受け取りに行く。そして、運送業者７０は、目的のコンテナ１６４が搭載してあるトレーラ１６６をトラクタ１７０によって牽引し、ストックヤード６０からコンテナ１６４を搬出する(ステップ１４０)。ストックヤード６０の管理者は、外来用端末６４によって受渡しに係るコンテナ１６４を確認し、受渡しに間違いがないようにする。
【００３３】
コンテナターミナル１４へ輸出用コンテナ１６４を搬入する予約をした運送業者７０は、コンテナターミナル１４でなくストックヤード６０の所定位置にコンテナ１６４を搬入する。この所定位置は、シャトル管理装置３６が搬入予約情報とストックヤード６０の搬入用保管区画におけるコンテナ１６４の保管状況に基づいて求める。そして、ストックヤード６０に搬入された輸出コンテナ１６４は、輸入コンテナと同様にオンシャーシの状態でストックヤード６０に一時的に保管され、シャトル１６２がそのコンテナ１６４を搭載したトレーラ１６６を牽引してコンテナターミナル１４に搬入する。ストックヤード６０のシャトル用端末６２には、シャトル１６２がどのコンテナ１６４をコンテナターミナル１４に搬入すべきかの指示が与えられる。
【００３４】
なお、予約した輸入コンテナ１６４を搬出した場合、トレーラ１６６が不足するときは、コンテナ１６４を搬出する運送業者７０が所定の期日までにトレーラ１６６をストックヤード６０に補充する。また、予約した輸出用コンテナ１６４をストックヤード６０に搬入した運送業者７０は、余分なトレーラ１６６をストックヤード６０から搬出する。
【００３５】
このように、実施の形態においては、コンテナ１６４の搬出が可能かを事前に確認し、搬出を予約できるようにしているため、コンテナ１６４の搬出を容易、迅速に行なうことができる。しかも、コンテナターミナル１４のコントロールセンタ１６０においては、事前に搬出するコンテナ１６４がわかっているため、対象となるコンテナ１６４のマーシャリングなどを円滑に行なうことができ、作業の効率化が図れる。そして、一時保管領域であるストックヤード６０をコンテナターミナル１４の外部に設けたことにより、コンテナターミナル１４内における作業を円滑に行なうことができる。また、コンテナ１６４をトレーラ１６６に搭載したオンシャーシの状態で保管するため、コンテナ１６４の搬出の際にコンテナ１６４の積み替えをする必要がなく、コンテナ１６４の受渡しを効率よく迅速に行なうことができる。
【００３６】
なお、上記の説明は、管理区域が港のコンテナターミナルである場合について説明したが、これは本発明の実施形態の一例を示したもので、これに限定されるものではなく、例えば空港などにも適用することができる。また、前記実施形態においては、一時保管領域であるストックヤード６０を管理区域であるコンテナターミナル１４の外部に設けた場合について説明したが、コンテナターミナルの内部にストックヤードを設けてもよい。そして、前記実施形態においては、コンテナ１６４をトレーラ(シャーシ)１６６に搭載した状態でストックヤード６０に保管する場合について説明したが、コンテナ１６４を直置きして保管するようにしてもよい。
【００３７】
【発明の効果】
以上に説明したように、本発明によれば、荷主や貨物の運搬業者は、端末手段によって管理区域内にある貨物に対して、所定の処理が終了して貨物が搬出可能の状態にあるかを容易に知ることができる。そして、端末手段から貨物の受け取りの予約情報を入力すると、貨物管理手段が予約された日時に迅速に引き渡しが可能なように、一時保管領域内の保管位置を求め、移送手段によって貨物をその保管位置に移動するようになっているため、貨物を受け取りにきた運送業者は、短時間で所定の貨物を受け取って管理区域から搬出することができる。
【００３８】
また、本発明は、一時保管領域を管理区域の外部に設けたことにより、より円滑な貨物の受渡しが可能になるとともに、管理区域内の作業を円滑、迅速に進めることができる。そして、貨物をトレーラのような牽引可能な搬送台車に搭載した状態で保管することにより、運送業者は貨物の積み替えを行なうことなく搬出することができ、迅速な貨物の受渡しが可能となる。また、管理区域内の貨物の搬入を予約できるようにすることにより、搬入する貨物が一時に集中するのを防ぐことができ、円滑な搬入作業を行なうことができる。
【図面の簡単な説明】
【図１】本発明の実施の形態に係る貨物搬出入予約システムの説明図である。
【図２】実施の形態に係る貨物搬出入予約システムのデータのやり取りを示す図である。
【図３】実施の形態に係る端末手段に表示される搬出許可照会画面の説明図である。
【図４】実施の形態に係る端末手段に表示されるコンテナ番号による照会結果を示す画面の説明図である。
【図５】実施の形態に係る端末手段に表示される船荷証券番号による照会結果を示す画面の説明図である。
【図６】実施の形態に係る携帯電話による搬出可能コンテナの照会方法の説明図である。
【図７】本発明の実施の形態に係る貨物出入予約システムによる予約貨物の受渡し手順を説明するフローチャートである。
【図８】実施の形態に係る端末手段に表示される貨物搬出入の予約状態を示す画面である。
【図９】実施の形態に係る予約コンテナをコンテナターミナルからストックヤードに移動させる方法の説明図である。
【図１０】実施の形態に係る予約コンテナのストックヤードに対する搬出入の方法を説明する図である。
【符号の説明】
１０………貨物搬出入予約システム、１２………貨物管理手段、
１４………管理区域(コンテナターミナル)、
１６………コンテナターミナル管理部、１８………予約受付け部、
２２………通信回線(インターネット)、
２４………照会・予約受付け装置、３６………シャトル管理装置、
４６………データ管理部、５２………コンテナ管理装置、
６０………一時保管領域(ストックヤード)、
６２………シャトル用端末装置、６４………外来用端末装置、
７０ａ〜７０ｃ………運送業者、７２………携帯電話、
７３………ゲート端末装置、７４………無線端末装置、
７６、１６２………移送手段(荷役機器、シャトル)、
７８………車載端末装置、１６４………貨物(コンテナ)、
１６６………搬送台車(トレーラ)、１７０………トラクタ。
【図１】
0004295446.tif 000002
【図２】
0004295446.tif 000003
【図３】
0004295446.tif 000004
【図４】
0004295446.tif 000005
【図５】
0004295446.tif 000006
【図６】
0004295446.tif 000007
【図７】
0004295446.tif 000008
【図８】
0004295446.tif 000009
【図９】
0004295446.tif 000010
【図１０】
0004295446.tif 000011